(57)【要約】【課題】簡易な構造であって、しかも特別な動力を使わず室内の換気を行うことができる屋根の補修構造等を提供する。【解決手段】この屋根の補修構造は、傾斜を有する屋根板１５Ａの上に波状の凹凸を備えたカバールーフ１５Ｂを重ねて形成されるものである。そして、屋根板１５Ａの棟部Ａを開口して形成される開口部１７と、その開口部１７の上に設けられ、カバールーフ１５Ｂを介してこの開口部１７を閉塞する通気閉塞部材２１とを有している。カバールーフ１５Ｂは金属製であって凹部と凸部が交互に形成され、通気閉塞部材２１とカバールーフ１５Ｂの凹部及び凸部とによって通気領域２１ａが画成され、屋根の下に設けられた室内は開口部１７及びその通気領域２１ａを介して外気と連通している。  を特徴とする【選択図】図１
2013060789.tif 000002
【特許請求の範囲】
【請求項１】
傾斜を有する屋根板の上に、波状の凹凸を備えたカバールーフを重ねて形成される屋根の補修構造であって、
前記屋根板の棟部を開口して形成される開口部と、
前記開口部の上に設けられ、前記カバールーフを介してこの開口部を閉塞する通気閉塞部材と
を有し、
前記カバールーフは金属製であって、凹部と凸部が交互に形成され、
前記通気閉塞部材と前記カバールーフの凹部及び凸部とで画成された通気領域を備え、
前記屋根の下に設けられた室内が、前記開口部及び前記通気領域を介し、外気と連通すること
を特徴とする屋根の補修構造。
【請求項２】
請求項１に記載の屋根の補修構造において、
前記屋根板は、スレート板であること
を特徴とする屋根の補修構造。
【請求項３】
傾斜を有する屋根板の上に、波状の凹凸を備えたカバールーフを重ねて行われる屋根の補修工法であって、
前記屋根板の棟部を開口して開口部を形成する開口部形成工程と、
前記開口部の上に通気閉塞部材を設け、前記カバールーフを介してこの開口部を閉塞する通気閉塞部材設置工程と
を有し、
前記カバールーフは金属製であって、凹部と凸部が交互に形成され、
前記閉塞部材と、前記カバールーフの凹部及び凸部で画成された通気領域を形成し、この通気領域及び前記開口部を介し、前記屋根の下に設けられた室内と外気とを連通させること
を特徴とする屋根の補修工法。
【請求項４】
請求項３に記載の屋根の補修工法において、
前記屋根板は、スレート板であること
を特徴とする屋根の補修工法。
【発明の詳細な説明】
【技術分野】
【０００１】
本発明は、例えば工場や倉庫といった既設建物の屋根の補修構造および補修工法に関し、特には、簡易な構造であって、しかも特別な動力を使わず室内の換気を行うことができる屋根の補修構造および補修工法に関する。
【背景技術】
【０００２】
従来、例えば特許文献１には、工場等の温熱環境を改善するために、建物の壁および屋根を内面と外面とかならなる二重構造（ダブルスキン）とするとともに、屋根の棟部に換気手段を設けた構造が開示されている。この構造によれば、夏季においては、内面と外面との間の通気路内の熱気が自ずと上昇し、棟部の換気手段を通じて外部に排出され、換気効果が得られる。
【先行技術文献】
【特許文献】
【０００３】
【特許文献１】特開２００９−２３５６７７
【発明の概要】
【発明が解決しようとする課題】
【０００４】
しかしながら、特許文献１の構造では、二重構造の壁を実現するために既設の壁や屋根等に対して新たに壁材を設ける必要があり、構造が複雑であり、作業も大がかりなものとなる。
【０００５】
他方で、例えば工場等に関しては、近年、その屋根の老朽化が進んでいるものも多く、簡易な構造で補修することができ、しかも同時に室内環境の改善を図ることもできる補修構造の開発が望まれている。
【０００６】
本発明は上述のような課題に鑑みてなされたものであり、その目的は、簡易な構造であって、しかも特別な動力を使わず室内の換気を行うことができる屋根の補修構造および補修工法を提供することにある。
【課題を解決するための手段】
【０００７】
上記目的を達成するための本発明の屋根の補修構造は、
傾斜を有する屋根板の上に、波状の凹凸を備えたカバールーフを重ねて形成される屋根の補修構造であって、
前記屋根板の棟部を開口して形成される開口部と、
前記開口部の上に設けられ、前記カバールーフを介してこの開口部を閉塞する通気閉塞部材と
を有し、
前記カバールーフは金属製であって、凹部と凸部が交互に形成され、
前記通気閉塞部材と前記カバールーフの凹部及び凸部とで画成された通気領域を備え、
前記屋根の下に設けられた室内が、前記開口部及び前記通気領域を介し、外気と連通すること
を特徴とする。
【発明の効果】
【０００８】
本発明によれば、簡易な構造であって、しかも特別な動力を使わず室内の換気を行うことができる屋根の補修構造および補修工法を提供することができる。
【図面の簡単な説明】
【０００９】
【図１】補修後の棟部の断面形状を模式的に示す断面図である。
【図２】補修後の屋根のＸ−Ｘ方向（図３参照）断面の模式図である。
【図３】既設の工場を模式的に示す外観斜視図である。
【図４】上部カバーを模式的に示す外観斜視図である。
【図５】本実施形態の補修工法の作業工程の例を示す図である。
【発明を実施するための形態】
【００１０】
以下、図面を参照して本発明の実施の一形態について説明する。
本発明に係る屋根の補修工法は、例えば図３のような工場の屋根１０を補修するためのものである。この屋根１０は、傾斜した屋根板１５Ａ、１５Ａと棟部Ａを有している。なお、図１では、図示の簡略のため、屋根板１５ＡをＣ型鋼１３に固定している公知の固定具などは示していない。
【００１１】
図１、図２に示すように、本実施形態の補修構造は、既設の屋根板１５Ａと、その上に配置されたカバールーフ１５Ｂと、棟部Ａに形成された開口部１７（詳細下記）を覆うように配置された上部カバー２１とを備えている。
【００１２】
屋根板１５Ａは例えば波形スレートであり、この例では、工場の梁１１にＣ型鋼１３およびアングル１２を介して固定されている。なお、補修前は、図３に示すように、左右の屋根板１５Ａ、１５Ａが棟部Ａまで延在したような形態となっており、棟部Ａには不図示の曲棟が配置されている。
【００１３】
図１に示すように、補修後は、屋根板１５Ａ、１５Ａの間に開口部１７が形成される。この開口部１７は、工場の屋内空間に開口している。棟部Ａの全長（図３のＸ−Ｘ方向）にわたって１つの開口部１７が形成されてもよいし、または、棟部Ａに沿って幾つかの開口部１７が形成されてもよい。
【００１４】
図２に示すように、屋根板１５Ａ上に配置されるカバールーフ１５Ｂには波状の凹凸が形成されている。限定されるものではないが、カバールーフ１５Ｂの凹凸のピッチは、屋根板１５Ａのピッチと同一または実質的に同一である。このようなカバールーフ１５Ｂは、カバールーフ１５Ｂを屋根板１５Ａ上に良好に位置決めできる点で好ましい。
【００１５】
カバールーフ１５Ｂの凹凸は屋根板１５Ａの凹凸よりも緩やかであり、これにより、カバールーフ１５Ｂを屋根板１５Ａに載せた状態では両者の間に複数の通気路２５が形成される。この通気路２５は、図１では模式的に破線で描かれており、その一端側は開口部１７側に開口し、他端側（不図示）は軒先側に開口している。
【００１６】
上部カバー２１は、開口部１７を覆うためのものであり、一例として金属製で図４に示すような形態をしている。上部カバー２１は、上に凸となる逆Ｖ字型の断面形状を有しており、棟部Ａ全体を覆うような長さに形成されている（一例）。上部カバー２１の両側には通気領域２１ａが形成されている。なお、この通気領域２１ａに、図１に示すようなハニカム構造２２（一例）が設けられていてもよい。
【００１７】
通気領域２１ａは、後述するように、室内の空気を外に逃がす機能と、通気路２５からの空気を外に逃がす機能とを備えるものであれば、形状やサイズは種々変更可能である。図４では、上部カバー２１に通気領域２１ａが形成されているが、これに限らず、上部カバー２１とカバールーフ１５Ｂの凹部及び凸部とによって通気領域２１ａが画成されてもよい。
【００１８】
上部カバー２１は、図１に示すように、一例として止めビス２８によって屋根板１５Ａおよびカバールーフ１５Ｂを貫通してＣ型鋼１３に取り付けられる。上部カバー２１によって、開口部１７が閉塞される。なお、必要に応じて、上部カバー２１とカバールーフ１５Ｂとの間に雨水等が浸水するのを防止するための水止面戸２９（テープ等の防水部材）が貼られてもよい。止めビス２８の位置は特に限定されるものではない。
【００１９】
図１に示すように、補修後は、開口部１７および通気領域２１ａを通じて工場室内と外部とが連通する。このような構成により、夏季の室内の熱気を、開口部１７および通気領域２１ａを通じて外に逃がすことができる。
【００２０】
さらに、本実施形態では、屋根板１５Ａとカバールーフ１５Ｂとの間の通気路２５も、開口部１７および通気領域２１ａを通じて外部に連通している。このような構成によれば、通気路内２５内の熱気をも開口部１７および通気領域２１ａを通じて外に逃がすことができるので、室内の温度上昇をさらに抑えることができる。
【００２１】
次に、既設の工場屋根に対する補修工程について、図５を参照しつつ説明する。なお、下記に説明する作業工程はあくまで一例であって、作業の順番等は適宜変更可能である。
【００２２】
まず、図５（ａ）に示すように、既設の工場屋根１０の棟部Ａの曲棟（不図示）を撤去して開口部１７を設ける。この状態では、屋根板１５Ａ、１５Ａは残っており、その間に開口部１７が形成されている。
【００２３】
次いで、図５（ｂ）に示すように、それぞれの屋根板１５Ａの上にカバールーフ１５Ｂを配置する。この工程では、例えば、既設のフックボルト（不図示）を切断する、屋根板１５上に安全ネット（不図示）を配設する、屋根板１５Ａ上に所定の固定金具（不図示）を取り付ける等の作業が行われてもよい。カバールーフ１５Ｂを配置することにより、図２に示すように、カバールーフ１５Ｂと屋根板１５Ａとの間に複数の通気路２５が形成される。
【００２４】
次いで、図５（ｃ）に示すように、開口部１７を上方から覆うように上部カバー２１を取り付ける。一例として、上部カバー２１は止めビス２８を用いてＣ型鋼１３に固定される。さらに、必要に応じて、カバールーフ１５Ｂの縁部分に水止面戸２９（上記参照）を貼ってもよい。
【００２５】
上記一連の工程により、図１に示すような補修構造が完成する。
【００２６】
以上説明した本実施形態に係る補修構造および補修工法は以下の通りである。
（１）
傾斜を有する屋根板１５Ａの上に波状の凹凸を備えたカバールーフ１５Ｂを重ねて形成される屋根の補修構造であって、
前記屋根板１５Ａの棟部Ａを開口して形成される開口部１７と、
前記開口部１７の上に設けられ、前記カバールーフ１５Ｂを介してこの開口部１７を閉塞する通気閉塞部材（２１）と
を有し、
前記カバールーフ１５Ｂは金属製であって、凹部と凸部が交互に形成され、
前記通気閉塞部材（２１）と前記カバールーフ１５Ｂの凹部及び凸部とで画成された通気領域２１ａを備え、
前記屋根１０の下に設けられた室内が、前記開口部１７及び前記通気領域２１ａを介し、外気と連通すること
を特徴とする屋根の補修構造。
【００２７】
金属製のカバールーフ１５Ｂを用いて補修を行う場合、日光によりカバールーフ１５Ｂが熱せられて室内温度が過度に上昇する。そのため、通気領域２１ａと開口部１７を介して室内と外気を連通させることにより、簡易な構成で、夏季室内温度を下げることに有効に働き、動力を使わず、室内環境を改善することができる。
【００２８】
（２）本実施形態の屋根の補修構造は、また、前記屋根板１５Ａがスレート板であることを特徴とする。
本発明は、このようなストレート板の屋根に対しても良好に適用することができ、上記と同様の作用効果を得ることができる。
【００２９】
（３）本実施形態の屋根の補修工法は、
傾斜を有する屋根板１５Ａの上に、波状の凹凸を備えたカバールーフ１５Ｂを重ねて行われる屋根の補修工法であって、
前記屋根板１５Ａの棟部Ａを開口して開口部１７を形成する開口部形成工程と、
前記開口部１７の上に通気閉塞部材（２１）を設け、前記カバールーフ１５Ｂを介してこの開口部１７を閉塞する通気閉塞部材設置工程と
を有し、
前記カバールーフ１５Ｂは金属製であって、凹部と凸部が交互に形成され、
前記閉塞部材（２１）と、前記カバールーフ１５Ｂの凹部及び凸部で画成された通気領域２１ａを形成し、この通気領域２１ａ及び前記開口部１７を介し、前記屋根の下に設けられた室内と外気とを連通させること
を特徴とする。
【００３０】
このような工法によれば、既設の屋根１０に対して煩雑な作業を要することなく、簡単に図１に示したような本実施形態の補修構造を設けることができる。
【００３１】
（４）本実施形態の屋根の補修工法は、また、前記屋根板がスレート板であることを特徴とする。
本発明は、このようなストレート板の屋根に対しても良好に適用することができる。
【符号の説明】
【００３２】
１０  屋根
１１  梁
１２  アングル
１３  Ｃ型鋼
１５Ａ  屋根板
１５Ｂ  カバールーフ
１７  開口部
２１  上部カバー
２１ａ  通気領域
２５  通気路
２８  止めビス
２９  水止面戸
Ａ  棟部
【図１】
2013060789.tif 000003
【図２】
2013060789.tif 000004
【図３】
2013060789.tif 000005
【図４】
2013060789.tif 000006
【図５】
2013060789.tif 000007